(57)【要約】【課題】手押しハンドルに設けた台車の車輪の制動構造に関する。【解決手段】台車の荷台上に立設された手押しハンドルと、該ハンドルの把持部に沿って操作把持部を配置した操作レバーと、該操作レバーに上端が取り付けられるブレーキワイヤーと、荷台の底面に固定されて下方に延びると共に、制動方向に付勢された制動アームを枢着した支持部とからなり、前記制動アームの一端側に前記ブレーキワイヤーの下端を連結し、他端側に車輪を制動乃至制動解除する制動部を設けてなることを特徴とする。【選択図】図１
2014131901.tif 000002
【特許請求の範囲】
【請求項１】
台車の荷台上に立設された左右一対の支柱部の上部間を連結する把持部を有するハンドルと、
ハンドルの一対の支柱部に枢着される一対のレバー片部と、該レバー片部の上部間を連結し、ハンドルの把持部に沿って配置される操作把持部とからなる操作レバーと、
該操作レバーに上端が取り付けられるブレーキワイヤーと、
荷台の底面に固定されて下方に延びると共に、制動方向に付勢された制動アームを枢着した支持部とからなり、
前記制動アームの一端側に前記ブレーキワイヤーの下端を連結し、他端側に車輪を制動乃至制動解除する制動部を設けてなることを特徴とする台車の制動構造。
【請求項２】
ハンドルの支柱部が荷台部に立設されたブラケットに枢着されて起伏可能に取り付けられていることを特徴とする請求項１に記載の台車の制動構造。
【請求項３】
車輪が、トレッド面と同心小径に形成され凹み部を有し、該凹み部の内周面に凹凸面が連続して形成されており、
制動部が、前記凹面に係脱可能なロック部材からなっていることを特徴とする請求項１または請求項２に記載の台車の制動構造。
【請求項４】
支持体の先端に制動アームが枢着されており、
該制動アームは、作動規制片と作動片からなって支持体に同軸で枢着されており、
作動規制片は、中間位置で支持体に枢着され、一端側にブレーキワイヤーの下端が連結され、他端側に作動片の枢動範囲を規制する上下一対の規制部を有してなり、
作動片は、基端側が作動規制片と共に支持体に枢着され、中途位置に一端が支持体に掛け止められた付勢手段としてのコイルスプリングの他端が掛け止められ、先端に制動部を設けてなることを特徴とする請求項１から３のいずれかに記載の台車の制動構造。
【発明の詳細な説明】
【技術分野】
【０００１】
本発明は、手押しハンドルに設けたブレーキレバーをハンドルと共に握ることで車輪の制動が解除されて台車を走行でき、ブレーキレバーを離すことで車輪が制動されるようにした台車の制動構造に関するものである。
【背景技術】
【０００２】
台車の車輪を制動する構造として、例えば特開２０１１−９７９号の運搬台車では、上面に荷物が載置可能な荷台と、垂直な一対の支柱及び該支柱の上部を連結する握持部を有して前記荷台の一端に折り畳み可能に配設されたハンドルと、前記荷台のハンドル側下面に取付けられた一対の固定車輪及び反ハンドル側下面に取付けられた一対の自由車輪と、を備えた運搬台車であって、前記ハンドルの握持部近傍に回動可能に取付けられた操作レバーと、該操作レバーに連結されて前記支柱内に嵌挿された連結ロッドと、上端が前記支柱の下部内において前記連結ロッドの下端に回動可能に連結され、その下端にブレーキ部が設けられると共にスプリングにより該ブレーキ部が常時固定車輪の外周面を押圧するように付勢されたブレーキロッドからなるブレーキ機構を備え、前記操作レバーの非操作時に、前記ブレーキ部が固定車輪の外周面に押圧されて固定車輪の回転を阻止し、前記操作レバーの操作時に前記ブレーキ部がスプリングの付勢力に抗して固定車輪から離間して固定車輪の回転を可能にすると共に、前記ハンドルを折り畳み方向に回動させることにより、操作レバー及び連結ロッドがハンドルと一体となって荷台上に折り畳まれることを特徴とする運搬台車が開示されている。
しかし、上記構成では、操作レバーとブレーキ部とを支柱内に嵌挿された連結ロッドを用いて連結するため、操作レバーは、支柱内部で支柱に枢着し、また操作レバーと連結ロッドの枢着も支柱内部に設ける必要があった。
そのため、操作レバーの修理や交換に際しては、常に支柱を分解する必要があり繁雑な作業となっていた。
また、連結ロッドとブレーキ部は、枢着されているので、ハンドルを折り畳むと同時に連結ロッドも連動して折り畳まれ、ブレーキ部との接続が切り離されてしまうため、ハンドルを折り畳んだ状態では、操作レバーを操作しても、固定車輪の制動を一切解除することができなくなり、ハンドルを折畳んだ状態では、固定車輪を走行さる方法がない、という不具合がある。
【先行技術文献】
【特許文献】
【０００３】
【特許文献１】特開２０１１−９７９号公報
【発明の概要】
【発明が解決しようとする課題】
【０００４】
この発明は、上記事情に鑑みて創案されたものであって、操作レバーをハンドルの支柱部分の外部で枢着して、操作レバーの交換や修理を容易に行えるようにすると共に、操作レバーとブレーキ部との間をブレーキワイヤーで連結することで、ハンドルの姿勢にかかわらず、操作レバーとブレーキ部とは常時接続された状態となっている台車の制動構造を提供することにある。
【課題を解決するための手段】
【０００５】
上記課題を達成するために、請求項１の発明では、
台車の荷台上に立設された左右一対の支柱部の上部間を連結する把持部を有するハンドルと、
ハンドルの一対の支柱部に枢着される一対のレバー片部と、該レバー片部の上部間を連結し、ハンドルの把持部に沿って配置される操作把持部とからなる操作レバーと、
該操作レバーに上端が取り付けられるブレーキワイヤーと、
荷台の底面に固定されて下方に延びると共に、制動方向に付勢された制動アームを枢着した支持部とからなり、
前記制動アームの一端側に前記ブレーキワイヤーの下端を連結し、他端側に車輪を制動乃至制動解除する制動部を設けてなることを特徴とする。
請求項２の発明では、
前記ハンドルの支柱部が荷台部に立設されたブラケットに枢着されて起伏可能に取り付けられていることを特徴とする。
請求項３の発明では、
前記車輪が、トレッド面と同心小径に形成され凹み部を有し、該凹み部の内周面に凹凸面が連続して形成されており、
制動部が、前記凹面に係脱可能な制動ピンからなっていることを特徴とする。
請求項４の発明では、
前記支持体の先端に制動アームが枢着されており、
該制動アームは、作動規制片と作動片からなって支持体に同軸で枢着されており、
作動規制片は、中間位置で支持体に枢着され、一端側にブレーキワイヤーの下端が連結され、他端側に作動片の枢動範囲を規制する上下一対の規制部を有してなり、
作動片は、基端側が作動規制片と共に支持体に枢着され、中途位置に一端が支持体に掛け止められた付勢手段としてのコイルスプリングの他端が掛け止められ、先端に制動部を設けてなることを特徴とする。
【発明の効果】
【０００６】
本発明の台車の制動構造では、操作レバーをハンドルの支柱部分の外部で枢着して、操作レバーの交換や修理を容易に行えるようにすると共に、操作レバーとブレーキ部との間をブレーキワイヤーで連結することで、ハンドルの姿勢にかかわらず、操作レバーとブレーキ部とは常時接続された状態となっており、操作レバーで制動操作を行うことができる。
【図面の簡単な説明】
【０００７】
【図１】実施例１の台車の斜視図である。
【図２】同背面図である。
【図３】操作レバー関連の斜め後方から見た斜視図である。
【図４】同側面図である。
【図５】ブレーキ部関連の後方から見た斜視図である。
【図６】制動状態の車輪とブレーキ部を示す斜視図である。
【図７（ａ）】制動時の台車の側面図である。
【図７（ｂ）】制動時の車輪部分の拡大図である。
【図８（ａ）】制動解除時の台車の側面図である。
【図８（ｂ）】制動解除時の車輪部分の拡大図である。
【発明を実施するための形態】
【０００８】
操作レバーとブレーキ部との間をブレーキケーブルで連結して、走行時にはハンドルと共に操作レバーを握って車輪の制動を解除して走行し、停止時には操作レバーを離して車輪を制動する構造とすることで、操作レバーやブレーキケーブルの交換を容易にし、操作レバーはハンドルの姿勢に関係なくブレーキ部と接続して制動乃至制動解除を可能にすることを実現した。
【実施例１】
【０００９】
［台車］
本実施例の台車１は、図１〜図６に示すように、台車１の荷台２上に立設されたハンドル３と、該ハンドル３に枢着される操作レバー４とを有しており、操作レバー４に固定されたインナー受部５と、荷台２の底面に固定されアウター受部１３と、インナー受部５に上端が掛け止められたインナーケーブル７及びインナー受部５とアウター受部１３間に介設されたアウターケーブル８とからなるブレーキワイヤー９と、荷台２の下部に枢着されて車輪制動方向に付勢されると共に制動部となる制動ピン１６を有する制動アーム１５とからなって、前記インナーケーブル７の下端が制動アーム１５の一端に連結されて、操作レバー４の枢動で制動アーム１５を連動させ制動ピン１６により車輪（後輪）２０を制動乃至制動解除する構成からなっている。
本実施例では制動対象を後輪としたが、前輪であってもよいし、前後両輪であってもよい。なお、符号２０’は、制動機構の無い車輪（前輪）である。
【００１０】
［ハンドル］
ハンドル３は、台車１の荷台２上に立設された左右一対の支柱部３ａと、該支柱部３ａの上部間を連結する把持部３ｂとからなる横倒略コ字状のパイプからなっている。
本実施例で、ハンドル３は、荷台２上に立設し固定された左右一対のブラケット２Ｂに各支柱部３ａの基部側（下端側）が枢軸Ｐ１によって枢着されており、起伏自在に折り畳むことができる。
【００１１】
このハンドル３は、図７（ｂ）に示すように、ブラケット２Ｂの第１枢軸Ｐ１より下方且つ前方位置に固定されたピン３ｄと、ハンドル３の下部を挟んでロック方向に付勢されたロックバー３ｃとによりハンドル３を起立姿勢で拘束し、該ロックバー３ｃを付勢力に抗して後方へ離間させることでハンドル３を折畳むことができる（図示せず）。
【００１２】
［操作レバー］  
操作レバー４は、ハンドル３の一対の支柱部３ａに外嵌して固定される固定部６に枢着される一対のレバー片部４ａと、該レバー片部４ａの上部間を連結し、ハンドルの把持部３ｂに沿って配置される操作把持部４ｂとからなっている。
前記レバー片部４ａは、直線状に延びて中途位置で略直角に折れ曲がる略Ｌ字状のプレートからなっており、その上端にパイプ等の杆材からなる操作把持部４ｂの端部が固着されている（図３及び図４参照）。
【００１３】
［固定部］
前記固定部６は、図３で明瞭なように、中央で分離し、分離した個所で折り返されて対峙する連接片を有する略筒体からなっており、支柱部３ａに外嵌して連接片を重ね合わせボルトＢで緊締してハンドル３に固定される金具からなっている。
【００１４】
この固定部６に第２枢軸Ｐ２の基端が固設されており、該第２枢軸Ｐ２に操作レバー４のレバー片部４ａの下端が枢着している。
レバー片部４ａは、中間の角部に、インナー受部５を一体に有している。
該インナー受部５は、後述のブレーキワイヤー９のインナーケーブル７の上端の掛止部７ａを掛止め、続くインナーケーブル７を通過させる溝を有している。
【００１５】
また、前記第２枢軸Ｐ２には、図示例ではレバー片部４ａと固定部６の周壁との間に鉤状に折れ曲がったアウター取付片８ａの基端が枢着されており、該アウター取付片８ａの先端は、アングル状に折れ曲がって前記インナー受部５の下方に対峙し、ブレーキワイヤー９のアウターケーブル８の上端を拘束してブレーキワイヤー９を下方へ延出させている。
【００１６】
上記構成からなっているので、図４に基づいて説明すると、操作レバー４をハンドル３に接近する方向（図中、時計方向）に枢動すると、同時に掛止部７ａも変位し、インナーケーブル７を上向きに牽引する。
インナーケーブル７の牽引でアウターケーブル８に負荷がかかると、アウター取付片８ａが枢動するので、アウターケーブル８はインナーケーブル７の姿勢に追随して、捻れないように変位させることができる。
【００１７】
［ブレーキワイヤー］
ブレーキワイヤー９は、アウターケーブル８にインナーケーブル７を内蔵した自転車のブレーキ等に使用される公知のボーデンワイヤーと同一構造からなっている。
そして、前述のように、インナーケーブル７の上端は掛止部７ａを介してレバー片部４ａのインナー受部５に掛止められる。
また、アウターケーブル８の上端は、前記アウター取付片８ａに取り付けられて固定される。
【００１８】
このブレーキワイヤー９は前記ハンドル３の支柱部３ｂに沿って下降し、荷台２に貫通形成されたワイヤー嵌挿孔Ｈを貫挿し、荷台２の底面側で、インナーケーブル７の下端が後述の制動アーム１５に連結され、アウターケーブル８の下端は、後述の支持体１０に固定される（図５、図６参照）。
【００１９】
［支持体］
荷台２の底面には、制動構造を支持する支持体１０が固設されている。
支持体１０は、図５や図６に示すように、荷台２底面に固定するための荷台取付片１０ａと、該取付片１０ａから縦に延びる縦支持部１１と、縦支持部１１の中途位置で横に延びる横支持部１２とからなっている。
縦支持部１１は、前記取付片１０ａから垂下し、下端が折れ曲がるアングル状の第１垂下片１１ａと、第１垂下片１１ａに重ねて固定された段違い状に折れ曲がった第２垂下片１１ｂとからなっている。
【００２０】
前記第１垂下片１１ａと第２垂下片１１ｂの折れ曲がり部分の隙間に横支持片１２が挿入され中央で両者に固着される。
横支持片１２は、中間部分が水平に延びで中央で前記縦支持部１１に固定されており、両端側はアングル状に上向きに折れ曲がった形状からなっている。
そして、一方の折曲部の水平部分がアウター受部１３となっており、前記アウターケーブル８の下端を連結し固定している。
また、他方の折曲部の水平部分には貫通孔１２ａが形成されており、後述のコイルスプリング１７の上端を掛止めるようになっている。
【００２１】
［制動アーム］
前記第２垂下片１１ｂの下端側には制動アーム１５が第３枢軸Ｐ３によって枢着されている。
制動アーム１５は、一体の作動片でもよいが、本実施例では、作動規制片１５ａと作動片１５ｂの２つの構成部材からなっている。
【００２２】
作動規制片１５ａは、その外端にインナーケーブル７を挿通可能な孔を有する固定ネジＮを螺合しており、インナーケーブル７の下端を任意の位置で作動規制片１５ａに固定することができる。
また、その他端は、上下に両端で略直角に折曲げられた規制部１５１、１５２が形成されており、作動片１５ｂの枢動範囲を規制している。
【００２３】
作動片１５ｂは、基端側が前記第３枢軸Ｐ３に枢着されており、中間位置に孔が穿設されており、前記コイルスプリング１７の下端が掛け止められている。
また、作動片１５ｂの先端には、車輪２０を制動乃至制動解除するための制動ピン１６が横向きに突設されている。
この作動片１５ｂは、作動規制片１５ａと共に第３枢軸Ｐ３に枢着されており、前記作動規制片１５ａの規制部１５１、１５２に規制されながら作動規制片１５ａと共に連動する。
【００２４】
即ち、作動片１５ｂは、前記コイルスプリング１７により、常時制動方向（本実施例では上向き）に付勢されているため、作動片１５ｂは作動規制片１５ａの上方の規制部１５１と衝合する位置に配置される。
そして、インナーケーブル７が操作レバー４により牽引され、図中上方へ引っ張られると、作動規制片１５ａは、図５中、反時計方向に枢動する。
これにより前記作動片１６ｂも連動し、制動ピン１６は図中下方へ変位する。
【００２５】
ここで車輪２０は、トレッド面と同心小径に形成された凹み部２１を有し、該凹み部２１の内周面には凹面２２ａと凸面２２ｂからなる断面略波形状の凹凸面２２が環状に連続して形成されている。
そして、前記制動ピン１６は前記凹面２２ａに係脱可能な形状に設定されている。
【００２６】
また、作動片１５ｂは、作動規制片１５ａの上下の規制部１５１、１５２の範囲で、コイルスプリング１７の付勢力に抗して変位しうるので、制動時に制動ピン１６が凸面２２ｂ上にあると、凸面２２ｂとの衝合位置で作動片１６は止まるが、作動規制片１５ａは、作動片１５ｂが下方の規制部１５２に衝合するまで枢動し、コイルスプリング１７の制動方向への付勢力を高める。
そこで、制動ピン１６は、上記付勢力によって凸面２２ｂを乗り越えて凹面２２ａに没入することができる。
【００２７】
図７及び図８は、操作レバー４と制動との関係を示す図であり、通常、走行時には、図７（ａ）に示すように、使用者は操作レバー４の操作把持部４ｂとハンドル３の把持部３ｂとを同時に手で握り締めることで、車輪２０の制動を解除して、台車１を走行させることができる。
【００２８】
即ち、前述のように、操作レバー４はハンドル３と重なるように操作されるので、インナーケーブル７が牽引され、制動アーム１５を反時計方向に枢動する。
これによって制動ピン１６は、図７（ｂ）に示す凹凸面２２から離間する位置に変位するので、車輪２０の制動は解除されており、台車１を走行できる。
【００２９】
次に、図８（ａ）に示すように、使用者が操作レバー４の操作把持部４ｂを握る手を離すことで、操作把持部４ｂをハンドル３の把持部３ｂから離間する方向に変位させると、車輪２０は制動されて、台車１を停止させることができる。
【００３０】
即ち、前述のように、操作レバー４はハンドル３と離間して、インナーケーブル７が下方に延びて元に戻り、制動アーム１５を時計方向に枢動する。
これによって制動ピン１６は、図８（ｂ）に示す凹凸面２２の凹部２２ａに没入する位置に変位するので、車輪２０は制動されており、台車１を停止できる。
【００３１】
このように、本実施例では、ハンドル３は荷台２沿って折畳可能な構造となっているが、ハンドル２を折畳んでも、ブレーキワイヤー９の構造には影響を与えないので、ハンドル３を折畳んだ状態で上下に積み重ねた場合でも、最下段の台車１の操作レバー４を操作するので、車輪２０の制動を解除し、移動させることができる。
【００３２】
また、ブレーキワイヤー９はハンドル３に沿って配置することができるので、取付や交換、修理を容易に行うことができ、また、インナーケーブル７の下端と制動部１６との取付位置を調整することで、操作レバーの制動ストロークの微調整を行うこともできる。
【００３３】
本実施例では、制動部として制動ピンを用い、車輪の内周面に形成された凹凸面の凹部に制動ピンを没入させて制動する場合を例示したが、トレッド面を押圧して制動する構造であってもよい。
この発明は上記実施例に限定されるものではなく、要するに要旨を変更しない範囲で種々設計変更しうること勿論である。
【符号の説明】
【００３４】
１    台車
２    荷台
２Ｂ  ブラケット
３ａ  支柱部
３ｂ  把持部
３    ハンドル
４    操作レバー
４ａ  レバー片部
４ｂ  操作把持部
５    インナー受部
６    固定部
７    インナーケーブル
７ａ  掛止部
８    アウターケーブル
８ａ  アウター取付片
９    ブレーキワイヤー
１０    支持体
１１    縦支持部
１０ａ  荷台取付片
１１ａ  第１垂下片
１１ｂ  第２垂下片
１１ｃ  折曲り片
１２    横支持部
１２ａ  スプリング掛止部
１３    アウター受部
１４    枢動規制部
１５    制動アーム
１５ａ  作動規制片
１５ｂ  作動片
１６    制動部の一例としての制動ピン
１７    付勢手段の一例としてのコイルスプリング
２０    車輪
２１    凹み部
２２    凹凸面
２２ａ  凹面
２２ｂ  凸部
Ｐ１    第１枢軸
Ｐ２    第２枢軸
Ｐ３    第３枢軸
【図１】
2014131901.tif 000003
【図２】
2014131901.tif 000004
【図３】
2014131901.tif 000005
【図４】
2014131901.tif 000006
【図５】
2014131901.tif 000007
【図６】
2014131901.tif 000008
【図７（ａ）】
2014131901.tif 000009
【図７（ｂ）】
2014131901.tif 000010
【図８（ａ）】
2014131901.tif 000011
【図８（ｂ）】
2014131901.tif 000012